(57)【特許請求の範囲】
【請求項１】
遊技球を受ける上面部に複数の落下孔が形成された皿体と、
前記皿体の前記上面部に遊技球を導く誘導路と、
前記誘導路及び前記皿体の下方に配置され、前記誘導路上から前記皿体上へと移動する遊技球を吸引しつつ保持可能な磁石と、
前記磁石を上下方向と直交する所定の第１方向に相対移動させる第１駆動部と、前記磁石を前記第１方向と交差する所定の第２方向に相対移動させる第２駆動部と、を備えた磁石移動機構と、
前記落下孔から落下した遊技球の排出経路となる排出路と、を備え、
前記排出路は、前記皿体の下方側において複数の前記落下孔から離れた位置に入口部が配置され、前記入口部から下流側に続く構成で底部が設けられており、
前記第１駆動部と第２駆動部との駆動により、前記誘導路または前記皿体の下方において前記磁石を２次元的に移動させて当該磁石による遊技球の吸引保持状態を維持しつつ前記磁石をいずれかの前記落下孔に移動させることにより前記遊技球を当該落下孔に導き、
前記磁石移動機構は、前記落下孔を通過して前記皿体の下方側に移動した遊技球を前記磁石によって吸着保持した状態で前記入口部まで導き、前記入口部にて前記磁石による遊技球の吸着保持を解除することを特徴とする遊技機用演出装置。
【請求項２】
前記磁石移動機構は、前記皿体に対して前記磁石を前記上下方向に相対移動させる第３駆動部を有し、前記磁石が遊技球を吸着保持した状態で前記磁石の前記上下方向の位置を変化させることを特徴とする請求項１に記載の遊技機用演出装置。
【請求項３】
前記誘導路を流れる遊技球を検出するセンサが設けられており、
前記磁石移動機構は、前記センサによって遊技球が検出されたことを条件として前記磁石の移動を開始することを特徴とする請求項１又は請求項２に記載の遊技機用演出装置。
【請求項４】
前記誘導路を流れる遊技球が通過する通過孔を備えたゲート部を有し、
前記ゲート部には、前記通過孔における遊技球の通過領域の前側を遮蔽する遮蔽部が設けられており、
前記磁石移動機構は、前記遮蔽部によって前側が遮蔽される前記通過領域を、前記磁石による遊技球の吸引保持の開始位置とすることを特徴とする請求項１から請求項３のいずれか一項に記載の遊技機用演出装置。
【請求項５】
前記ゲート部には、前記通過孔の前記通過領域を流れる遊技球を検出する構成でセンサが設けられており、
前記磁石移動機構は、前記センサによって遊技球が検出されたことを条件として前記磁石の移動を開始することを特徴とする請求項４に記載の遊技機用演出装置。
【請求項６】
前記誘導路は、前記皿体の後方側に配置される第１流路部と、前記第１流路部から前記皿体へと続く第２流路部と、を備えており、
前記磁石移動機構は、前記第１流路部を前記磁石による遊技球の吸引保持の開始位置とすることを特徴とする請求項１から請求項５のいずれか一項に記載の遊技機用演出装置。
【請求項７】
前記底部において前記入口部を構成する入口側部分は、板状に構成され、且つ前記底部の入口側の端部から離れる側に延びる切欠き部が形成されており、
前記磁石移動機構は、前記落下孔を通過して前記皿体の下方側に移動した遊技球を前記磁石によって吸着保持した状態で前記入口側部分まで導き、更に、その遊技球を前記切欠き部の上側で移動させつつ、前記磁石を前記入口側部分の下側において前記入口側の端部から離れるように移動させることで、前記磁石による遊技球の吸着保持を解除することを特徴とする請求項１から請求項６のいずれか一項に記載の遊技機用演出装置。
【請求項８】
請求項１から請求項７のいずれか一項に記載の遊技機用演出装置を備えたことを特徴とする遊技機。
【発明の詳細な説明】
【技術分野】
【０００１】
本発明は、遊技機用演出装置及びそれを備えた遊技機に関するものである。
【背景技術】
【０００２】
遊技機の分野では、様々な演出装置が提供されており、例えば、大当たり確定後の演出性を向上させることを目的とした疑似球演出装置なども提供されている。この種の既存技術としては、例えば、特許文献１のような技術が存在し、この特許文献１で開示される疑似球演出装置１では、演出口２の回転に同期させて磁石７を上下に移動させることにより、演出口２に確実に疑似球４を入球させようとしている。
【先行技術文献】
【特許文献】
【０００３】
【特許文献１】特開２０１３−６３２３３号公報
【発明の概要】
【発明が解決しようとする課題】
【０００４】
しかしながら、特許文献１の技術では、単に遊技球を環状通路の所定位置で保持したり、保持を解除したりするためだけに磁石を利用しており、磁石によって遊技球を動作させる上での自由度が非常に小さかった。例えば、この技術では、環状通路内では、遊技球の自然な流れを無視して遊技球が急に磁石に吸引されてしまい、遊技球を演出口２に導く際には、遊技球の流れを考慮せずに単に磁石による吸引を解除する構造であったため、いずれの際にも遊技球の挙動が急激に変化しやすく、遊技球の不自然な動きが避けられなかった。
【０００５】
本発明は、上述した課題を解決するためのものであり、磁石によって遊技球を吸引保持する際の動きの自由度をより高めやすく、誘導路から皿体に至るまでの遊技球の挙動をより自然な動きとなるように細かく制御しやすい構成を提供することを目的とする。
【課題を解決するための手段】
【０００６】
本発明の遊技機用演出装置は、
遊技球を受ける上面部に複数の落下孔が形成された皿体と、
前記皿体の前記上面部に遊技球を導く誘導路と、
前記誘導路及び前記皿体の下方に配置され、前記誘導路上から前記皿体上へと移動する遊技球を吸引しつつ保持可能な磁石と、
前記磁石を上下方向と直交する所定の第１方向に相対移動させる第１駆動部と、前記磁石を前記第１方向と交差する所定の第２方向に相対移動させる第２駆動部と、を備えた磁石移動機構と、
前記落下孔から落下した遊技球の排出経路となる排出路と、を備え、
前記排出路は、前記皿体の下方側において複数の前記落下孔から離れた位置に入口部が配置され、前記入口部から下流側に続く構成で底部が設けられており、
前記第１駆動部と第２駆動部との駆動により、前記誘導路または前記皿体の下方において前記磁石を２次元的に移動させて当該磁石による遊技球の吸引保持状態を維持しつつ前記磁石をいずれかの前記落下孔に移動させることにより前記遊技球を当該落下孔に導き、
前記磁石移動機構は、前記落下孔を通過して前記皿体の下方側に移動した遊技球を前記磁石によって吸着保持した状態で前記入口部まで導き、前記入口部にて前記磁石による遊技球の吸着保持を解除することを特徴とする。
【０００７】
本発明の遊技機は、上記遊技機用演出装置が遊技盤に配置されていることを特徴とする。
【発明の効果】
【０００８】
本発明の遊技機用演出装置及び遊技機によれば、少なくとも、皿体に入る前段階の誘導路から皿体に形成された落下孔に至るまで磁石によって遊技球を細かく誘導（制御）することができるため、特定箇所だけで吸引及び解除する構成と比べて遊技球の流れを演出する上での自由度が高まり、遊技球をより自然な流れに見せる演出を行い易くなる。
また、遊技球がいずれの落下孔から落下する場合でも、共通の入口側部分まで導いて共通の排出路から排出することが可能となる。
そして、いずれかの落下孔を通過して下方に落ちた遊技球が入口側部分へと導かれた際に、磁石上に吸着保持される遊技球だけが底部上に安定的に排出される。
【０００９】
本発明は、磁石移動機構において、皿体に対して磁石を上下方向に相対移動させる第３駆動部が設けられ、磁石が遊技球を吸着保持した状態で磁石の上下方向の位置を変化させる構成であってもよい。
この構成によれば、磁石によって吸引保持しつつ予定された落下孔まで誘導した上で、その落下孔において確実に落下させることができる。特に、落下孔までの誘導と落下孔での落下とで、磁石による吸引保持が連続的に維持され、第１駆動部、第２駆動部によって遊技球を螺旋状に周回させる等の二次元的（平面的）に制御でき、さらに第３駆動部を備えることによって遊技球を三次元的（立体的）に制御することができるため、落下孔までの誘導及び落下孔での落下等の動きをより細かく制御しやすくなる。
【００１０】
また、本発明は、誘導路を流れる遊技球を検出するセンサが設けられていてもよい。そして、磁石移動機構は、そのセンサによって遊技球が検出されたことを条件として磁石の移動を開始する構成であるとよい。
この構成によれば、遊技球が所定の位置（センサで検出可能な位置）に至った場合に速やかに磁石の移動を開始することが可能な構成を実現できる。
【００１１】
本発明は、誘導路を流れる遊技球が通過する通過孔を備えたゲート部が設けられていてもよい。そして、このゲート部には、通過孔における遊技球の通過領域の前側を遮蔽する遮蔽部が設けられていてもよい。この場合、磁石移動機構は、遮蔽部によって前側が遮蔽される通過領域を、磁石による遊技球の吸引保持の開始位置とする構成であることが望ましい。
この構成では、磁石によって遊技球の吸引保持を開始する位置が隠されるため、吸引保持されていない自然な流れの状態から吸引保持後の磁石による規制状態へと状態が変化する際に、ある程度遊技球に挙動変化（吸着による震え）が生じたとしても、その挙動変化が遊技者にはいつ磁石に吸着されたか見えにくくなる。従って、挙動変化が特に懸念される吸引保持の開始の際に、遊技球の流れが不自然に変化した印象を与えにくくなる。
このようにゲート部を設けた構成では、通過孔の通過領域を流れる遊技球を検出する構成でセンサが設けられていてもよい。そして、磁石移動機構は、このセンサによって遊技球が検出されたことを条件として磁石の移動を開始する構成であってもよい。
この構成によれば、ゲート部の設置構造を利用してセンサを設けることができるため、より効率的にセンサを配置することが可能となる。しかも、遊技球が通過領域（磁石による吸引保持開始位置）に至ったことをセンサによって検知することができるため、遊技球が吸引保持されたタイミングをより早期に検知し、そのタイミングからそれほど遅延せずに磁石移動部によって遊技球を移動する制御を行うことが可能となる。
【００１２】
また、本発明は、誘導路において、皿体の後方側に配置される第１流路部と、第１流路部から皿体へと続く第２流路部と、が設けられていてもよい。この場合、磁石移動機構は、第１流路部を磁石による遊技球の吸引保持の開始位置とする構成であることが望ましい。
この構成では、磁石によって遊技球の吸引保持を開始する位置が、皿体の後方側の奥まった位置となるため、吸引保持されていない自然な流れの状態から吸引保持後の磁石による規制状態へと状態が変化する際に、ある程度遊技球に挙動変化が生じたとしても、その挙動変化の程度を遊技者が把握しにくくなる。従って、挙動変化が特に懸念される吸引保持の開始の際に、遊技球の流れが不自然に変化した印象を与えにくくなる。
【００１３】
また、本発明において、底部における入口部を構成する入口側部分が板状に構成され、且つ底部の入口側の端部から離れる側に延びる切欠き部が形成されていてもよい。そして、磁石移動機構については、落下孔を通過して皿体の下方側に移動した遊技球を磁石によって吸着保持した状態で入口側部分まで導き、更に、その遊技球を切欠き部の上側で移動させつつ、磁石を入口側部分の下側において入口側の端部から離れるように移動させることで、磁石による遊技球の吸着保持を解除する構成としてもよい。
この構成では、いずれかの落下孔を通過して下方に落ちた遊技球が入口側部分へと導かれた際に、磁石上に吸着保持される遊技球が切欠き部の上方で移動し、磁石が切欠き部の下方で移動するように分断動作がなされる。よって、入口側の端部では、磁石によって遊技球を保持した保持構造から遊技球だけが底部上に安定的に削ぎ落とされやすくなり、これにより遊技球が安定的に排出されやすくなる。
【図面の簡単な説明】
【００１４】
【図１】図１は、本発明の第１実施形態に係る遊技機用演出装置を備えた遊技機を概略的に例示する正面図である。
【図２】図２は、第１実施形態に係る遊技機用演出装置を概略的に例示する正面図である。
【図３】図３は、図２のＡ−Ａ断面を概略的に例示する断面概略図である。
【図４】図４は、図２のＢ−Ｂ断面を概略的に例示する断面概略図である。
【図５】図５は、図２の遊技機用演出装置の一部をなす疑似入賞装置を概略的に例示する斜視図である。
【図６】図６は、図５の疑似入賞装置の内部構造を概略的に例示する斜視図である。
【図７】図７は、図５の疑似入賞装置の正面図である。
【図８】図８は、図５の疑似入賞装置の平面図である。
【図９】図９は、図５の疑似入賞装置の側面図である。
【図１０】図１０は、図５の疑似入賞装置の背面図である。
【図１１】図１１は、図５の疑似入賞装置を分解して示す分解斜視図である。
【図１２】図１２は、図５の疑似入賞装置における駆動装置の一部を分解して示す分解斜視図である。
【図１３】図１３は、図１２の駆動装置を分解した構造を図１２とは異なる方向から示す分解斜視図である。
【図１４】図１４は、図１２の駆動装置の一部領域を更に分解して示す分解斜視図である。
【図１５】図１５は、図１２の駆動装置において図１４とは異なる領域を更に分解して示す分解斜視図である。
【図１６】図１６は、図１５の領域を分解した構造を図１５とは異なる方向から示す分解斜視図である。
【図１７】図１７は、図７のＣ−Ｃ断面を概略的に示す断面概略図である。
【図１８】図１８は、図８のＤ−Ｄ断面を概略的に示す断面概略図である。
【図１９】図１９は、図９のＥ−Ｅ断面を概略的に示す断面概略図である。
【図２０】図２０は、図９のＦ−Ｆ断面を概略的に示す断面概略図である。
【発明を実施するための形態】
【００１５】
[第１実施形態]
以下、本発明に係る遊技機用演出装置１０及びそれを備えた遊技機１を具現化した第１実施形態について、図面を参照して説明する。
【００１６】
（遊技機の概要）
まず、遊技機１の概要を説明する。
図１に示す遊技機１は、いわゆるパチンコ機として構成されるものであり、木板（ベニヤ板）、アクリル板等によって構成される遊技盤２の盤面２ａ（前面）に沿って遊技球の発射を誘導するガイドレール５が設けられ、このガイドレール５等によって区画された形態で遊技領域が形成されている。また、遊技盤２の中央付近には、後述する遊技機用演出装置１０（以下、単に演出装置１０ともいう）が配置され、この演出装置１０の右側には、大入賞口９が配置されている。また、遊技機１には、遊技盤２の前方において当該遊技盤２の盤面２ａとほぼ平行に透明板（ガラス板等）が配置され、ガイドレール５等によって区画された遊技領域内において透明板と遊技盤２との間を遊技球が流下するように構成されている。なお、図１では、透明板の図示を省略している。
【００１７】
本明細書において、「前後方向」とは、遊技盤２の盤面２ａ（前面）と直交する方向を意味し、盤面２ａに対し遊技者が位置するべき側を前方側、それとは反対側（即ち、遊技機１奥側）を後方側とする。また、「上下方向」とは、前後方向と直交する方向であって遊技球が流下する方向を意味する。例えば、図１に示す遊技機１の長手方向が鉛直方向となるように盤面２ａが鉛直方向と平行に配置される場合、鉛直方向が上下方向となる。また、「左右方向」とは、上記「前後方向」及び「上下方向」と直交する横方向を意味する。更に、上下方向と直交する平面方向を「水平方向」とする。即ち、「水平方向」は、前後方向及び左右方向と平行な面方向である。なお、以下の説明では、上下方向をＹ方向とし、左右方向をＸ方向とし、前後方向をＺ方向として説明する。
【００１８】
（遊技機用演出装置の基本構造）
ここで、遊技機用演出装置１０の詳細な構造について説明する。
遊技機用演出装置１０は、図２〜図４のように構成され、主に、遊技機用演出装置１０に遊技球を入球させる電動チューリップ９１と、入球した遊技球を振り分ける振分装置１２と、この振分装置１２によって一方側に振り分けられた遊技球の挙動を制御しつつ演出を行う疑似球演出装置１１とによって構成されている。
【００１９】
振分装置１２は、回転駆動部９３と、検知センサ９５と、各流路とを備えており、所定条件成立時に電動チューリップ９１から所定流路に入り込んだ遊技球を、演出側流路９７又は排出側流路９８のいずれかに振り分けるように構成されている。
【００２０】
電動チューリップ９１は、公知の電動チューリップとして構成されており、ソレノイド９１ｄの動作に応じて羽根９１ａ，９１ｂが開閉するように構成されている。具体的には、ソレノイド９１ｄの動作停止時（通電停止時）に、羽根９１ａ，９１ｂが図１、図２等に示す実線位置（閉塞位置）となり、ソレノイド９１ｄの動作時（通電時）に、羽根９１ａ，９１ｂが図２等に示す破線９１ａ’，９１ｂ’の位置（開放位置）となるように構成されている。ソレノイド９１ｄの動作時（通電時）に、羽根９１ａ，９１ｂが開放位置になると、遊技領域を流下する遊技球が入賞口９１ｃ内へ入り込むことが許容され、このように羽根９１ａ，９１ｂが開放位置のときに入賞口９１ｃに入り込んだ遊技球は、図３で示す検知センサ９５（検査センサ）の検知孔９５ａを通って流路９６に流れ込むようになっている。なお、本構成では、例えば、遊技球が電動チューリップ９１に入賞し、その遊技球が検知センサ９５（検査センサ）で検出された時点で、所定個数の賞球が払い出されるようになっている。また、検知センサ９５（検査センサ）で検出された遊技球は、いくつかの遊技球については後述する疑似球として演出用に使用され、その他の遊技球は、単なる入賞球として排出されるようになっている。
【００２１】
検知センサ９５の下流側に構成される流路９６は、検知孔９５ａから続く共通流路９６ａと、この共通流路９６ａから分岐する第１分岐路９６ｂと第２分岐路９６ｃとを有している。この流路９６では、第１分岐路９６ｂが満杯でない状態（即ち、第１分岐路９６ｂに遊技球が入り込むスペースがある状態）では、検知孔９５ａを通って共通流路９６ａに落下した遊技球が第１分岐路９６ｂに入り込むようになっている。一方、第１分岐路９６ｂが満杯の状態（即ち、第１分岐路９６ｂに遊技球が入り込むスペースがない状態）では、検知孔９５ａを通って共通流路９６ａに落下した遊技球は、第１分岐路９６ｂに入り込めずに第２分岐路９６ｃから排出されるようになっている。なお、第１分岐路９６ｂには、例えば、遊技球が４個蓄積できるようになっている。
【００２２】
更に、第１分岐路９６ｂの下流側には回転駆動部９３が設けられている。この回転駆動部９３は、入球した遊技球の挙動を遊技者に視認させるための内部空間を有する筐体の上部に設けられ、回転駆動部９３により第１分岐路９６ｂに蓄積された遊技球を１球ずつ演出側流路９７又は排出側流路９８のいずれかに振り分けるように動作するものである。回転駆動部９３は、遊技球を保持する保持溝９３ｃを備えた回転体９３ａと、回転駆動力を発生させる回転駆動部９３ｂと、回転駆動部９３ｂの回転駆動力を回転体９３ａに伝達する伝達機構９４とを備えている。回転駆動部９３ｂは、例えば回転駆動軸を備えた公知のステッピングモータによって構成されている。また、伝達機構９４は、回転駆動部９３ｂの駆動軸と一体的に回転する歯車９４ｂと、回転体９３ａと一体的に回転する歯車９４ａとを備えており、これら歯車９４ａ，９４ｂが歯車伝動によって連動するようになっている。このように構成される回転駆動部９３では、制御部１００での制御によって回転駆動部９３における回転駆動軸の回転変位が定まると、この回転駆動軸と一体的に回転する歯車９４ｂの回転変位が定まり、この歯車９４ｂと連動する歯車９４ａの位置が定まることで、歯車９４ａと一体化された回転体９３ａの回転変位が定まることになる。つまり、制御部１００の制御により、回転駆動部９３ｂの回転変位及び回転体９３ａの回転変位を制御可能とされている。
【００２３】
制御部１００は、ＣＰＵやメモリなどを備えた複数の装置によって構成され、例えば、メイン基板と、複数のサブ基板とを有している。この制御部１００は、例えば、回転駆動部９３における回転駆動軸の回転変位を定める制御信号を出力したり、ソレノイド９１ｄを駆動する駆動信号（通電信号）を出力したり、後述する第１駆動部６１、第２駆動部６２、第３駆動部６３によるそれぞれの駆動位置を定める制御信号を出力したりすることが可能となっている。
【００２４】
図２に示すように、演出側流路９７は、回転駆動部９３の回転体９３ａに隣接する流路９７ａと、この流路９７ａから筐体の内部空間内に折り返された傾斜流路９７ｂと、この流路９７ｂからの遊技球を後述する誘導路３０に導く流路９７ｃとを備えている。流路９７ａは、筐体の上部曲面に沿って管状に構成されると共に一端側が回転体９３ａに隣接して開口する開口部として構成されており、この開口部は、回転体９３ａによって左右方向の一方側（図２の例では、正面視して右側）に運ばれた遊技球を導入する導入口として機能する。流路９７ｂは、流路９７ａによって運ばれた遊技球を皿体２０後方に導くように左右方向他方側（図２の例では、正面視して左側）折り返す流路と筐体の内部空間の奥側（図３の例で示す右側）に導くように折り返す流路とで構成されている。また、流路９７ｃは、流路９７ｂによって運ばれた遊技球を、流路９７の下流端に配置された誘導路３０に導く流路として機能する。
【００２５】
排出側流路９８は、左右方向において回転体９３ａの他方側（流路９７ａとは反対側であり、図２の例では、正面視して左側）に筐体に沿って配置されている。排出側流路９８は、管状に構成されると共に一端側が回転体９３ａに隣接して開口する開口部として構成されており、回転体９３ａによって左右方向の他方側（図２の例では、正面視して左側）に運ばれた遊技球を上記開口部から取り込んで排出口９８ａに導く流路として機能する。
【００２６】
振分装置１２がこのように構成されているため、所定条件成立時には、遊技領域を流れる遊技球の一部が入賞口９１ｃに取り込まれ、この入賞口９１ｃに入賞した所定個数の遊技球が演出側流路９７又は排出側流路９８に振り分けられることになる。そして、振分装置１２により演出側流路９７に振り分けられた遊技球は、後述する疑似球演出装置１１に送り込まれ、この疑似球演出装置１１によって遊技球を用いた演出がなされることになる。
【００２７】
次に、疑似球演出装置１１について説明する。
図５〜図１１等で示す疑似球演出装置１１は、遊技球の挙動を制御によって疑似的に演出する装置であり、あたかも、遊技球が誘導路３０から皿体２０へと自然に流れて、いずれかの落下孔２２ａ，２２ｂ，２２ｃに自然に落ちるような雰囲気に演出するように動作する。この疑似球演出装置１１は、図５又は図６、図１１で示すように、主として、皿体２０と、誘導路３０と、磁石５０と、磁石移動機構６０と、排出路４０とを備えている。そして、磁石移動機構６０により磁石５０を誘導路３０の下方に移動させて当該磁石５０による遊技球の吸引保持を開始し、その吸引保持状態を維持しつつ磁石５０を誘導路３０側から皿体２０側に移動させることにより磁石５０に吸引保持された上面部２０ａ上の遊技球をいずれかの落下孔２２ａ，２２ｂ，２２ｃに導く構成となっている。
【００２８】
図５、図８等で示すように、誘導路３０は、上述した振分装置１２の演出側流路９７から供給された遊技球を受け、この遊技球を皿体２０の上面部２０ａ上に導くように、所定の経路で流す構造となっている。この誘導路３０は、皿体２０の後方側に配置される第１流路部３１と、第１流路部３１から皿体２０へと続く第２流路部３２と、を備えている。そして、第１流路部３１は、上述した流路９７ｃからの前後方向の遊技球の流れを左右方向の転換する流路方向転換部３１ａと、左右方向の流路を構成する左右方向流路部３１ｂと、左右方向流路部３１ｂでの左右方向の流れを前後方向に転換する流路方向転換部３１ｃとを有する。第２流路部３２は、前後方向の流路を構成する前後方向流路部３２ａと、前後方向流路部３２ａでの前後方向の流れを斜め横方向に転換して皿体２０に導く皿体導入部３２ｂとを有している。このように構成される誘導路３０では、演出側流路９７によって皿体２０の左側に導かれた遊技球を、第１流路部３１によって皿体２０の後方側の位置を通しながら左側から右側に流す。そして、このように第１流路部３１によって右側に流された遊技球を第２流路部３２によって皿体２０の後方側から前端側へと流すようになっている。
【００２９】
図５、図６、図９等で示すように、誘導路３０の一部領域を覆う構成で、誘導路３０を流れる遊技球が通過する通過孔３６ａを備えたゲート部３６が設けられている。このゲート部３６は、第１流路部３１（左右方向流路部３１ｂ）を構成する溝の前側流路壁Ａ１と後側流路壁Ａ２とを跨ぐように架設されており、第１流路部３１を構成する溝（遊技球を１球ずつ流す溝）が通過孔３６ａの内部空間を通る構造となっている。具体的には、上述した左右方向流路部３１ｂにおける左右方向一端側（正面視したときの右端側）の所定領域を覆う構成でゲート部３６が架設されており、通過孔３６ａが左右方向の孔としてトンネル状に構成されている。
【００３０】
図５、図６、図１１のように、ゲート部３６は、左右方向流路部３１ｂの前側流路壁Ａ１（図５、図８）の前側に隣接して上下に立ち上がる前壁部３６ｂと、左右方向流路部３１ｂの後側流路壁Ａ２（図５、図８）の後側に隣接して上下に立ち上がる後壁部３６ｃと、これら前壁部３６ｂと後壁部３６ｃとを繋ぐ上壁部３６ｄと、を備えており、全体として門状或いはアーチ状に構成されている。前壁部３６ｂは、遮蔽部の一例に相当し、通過孔３６ａにおける遊技球の通過領域の前側を少なくとも部分的に遮蔽するように機能する。実施例において前壁部３６ｂの横幅は、遊技球が全て隠れることのないように遊技球の直径より小さく設定されており、遊技球が通過孔３６ａを通過する際に、遊技者の視界から遊技球が消えることはない。
【００３１】
更に、図８、図１０、図１１等で示すように、ゲート部３６には、通過孔３６ａを通過する遊技球を検出するセンサ３８が設けられている。このセンサ３８は、図１１のように、全体として門状或いはアーチ状の形態をなしており、このセンサ３８も、第１流路部３１を構成する溝の前側流路壁Ａ１と後側流路壁Ａ２とに亘って架設されている。具体的には、左右方向流路部３１ｂの前側流路壁Ａ１の前側に隣接して検知片３８ｂが配置され、左右方向流路部３１ｂの後側流路壁Ａ２の後側に隣接して検知片３８ｃが配置され、これら検知片３８ｂ，３８ｃを繋ぐ構成で上壁部３８ｄが設けられている。そして、遊技球が通過孔３６ａを通る際には、この遊技球が一対の検知片３８ｂ，３８ｃの間を通り、センサ３８から所定の検知信号（電気信号）が発生するようになっている。
【００３２】
図５、図８で示すように、皿体２０は、上述の誘導路３０から上面部２０ａに送り込まれた遊技球を受けて、いずれかの落下孔２２ａ，２２ｂ，２２ｃから落とすように機能する部分である。この皿体２０は、全体として円形状に構成された上面部２０ａを備え、この上面部２０ａの外縁部から立ち上がる構造で環状の周壁部２０ｂが構成されている。なお、円環状に構成される周壁部２０ｂの一部（前端部側且つ右端部側）は、切り欠かれた解放領域（壁部が存在しない領域）となっており、この一部に誘導路３０からの遊技球を皿体２０内に導入させる導入口２０ｃが切り欠き形成されている。
【００３３】
更に、皿体２０を構成する上面部２０ａには、複数の落下孔２２ａ，２２ｂ，２２ｃが形成されている。皿体２０において上面部２０ａが設けられた領域は板状部分として構成されており、落下孔２２ａ，２２ｂ，２２ｃはいずれも、この板状部分を上下に貫通する貫通孔として構成されている。図８のように、落下孔２２ａ，２２ｂ，２２ｃはいずれも、平面視したときの孔の形状が円形状となっており、落下孔２２ａ，２２ｂ，２２ｃのいずれの直径も、遊技球が１個通過可能な遊技球の径よりも少し大きく、遊技球の径の２倍よりも小さくなっている。また、落下孔２２ａ，２２ｂ，２２ｃのうち１つの落下孔（例えば、落下孔２２ｂ）は、所定の大当たり状態の発生時に後述する磁石移動機構６０によって遊技球が導かれる大当たり孔とされており、残りの２つの落下孔（例えば、落下孔２２ａ，２２ｃ）は、所定のハズレ状態のときに後述する磁石移動機構６０によって遊技球が導かれるハズレ孔とされている。
【００３４】
このように構成される皿体２０では、遊技球が後述する磁石移動機構６０の制御によって誘導路３０から皿体２０内に導かれた後に、周壁部２０ｂ内において上面部２０ａに支持されつつ上面部２０ａ上で移動する挙動となる。そして、この遊技球は、最終的にいずれかの落下孔２２ａ，２２ｂ，２２ｃに導かれ、落下孔２２ａ，２２ｂ，２２ｃから落ちるように動作が制御される。皿体２０は、このような挙動を表現する舞台として機能する。
【００３５】
磁石移動機構６０によって移動される磁石５０は、例えばネオジム磁石等の永久磁石によって構成されている。この磁石５０は、誘導路３０及び皿体２０の下方において移動可能となるように配置され、誘導路３０上から皿体２０上へと移動する遊技球を吸引しつつ保持可能とされている。具体的には、磁石５０は、後述する前後移動フレーム１６２に形成された突出保持部１６３の上端部において上方側に露出した構造で配置されている。そして、磁石５０の上面が、前後方向及び左右方向と平行な平坦面として構成されており、誘導路３０及び皿体２０での遊技球の誘導時には、磁石５０の上面が誘導路３０の裏面及び皿体２０の裏面に近接するように制御がなされることになる。この構成では、誘導路３０上又は皿体２０上において磁石５０の直上位置に遊技球が存在する場合、この遊技球にまで磁石５０による磁力が及ぶことになり、誘導路３０上又は皿体２０上の遊技球がその直下にある磁石５０によって吸引されつつ保持されることになる。そして、後述する磁石移動機構６０の制御により、磁石５０が誘導路３０又は皿体２０の裏側の近接位置においてこれらに沿って相対移動した場合、その磁石５０に引き付けられるように遊技球が移動することになり、このような移動を制御することで遊技球の挙動が制御される。
【００３６】
磁石移動機構６０は、上述の磁石５０の位置を上下方向、左右方向、前後方向に変化させるように磁石５０を移動させる機構部分である。この磁石移動機構６０は、上下方向と直交する所定の第１方向に磁石５０を相対移動させる第１駆動部６１と、第１方向と交差する所定の第２方向に磁石５０を相対移動させる第２駆動部６２と、上下方向における磁石５０を相対移動させる第３駆動部６３とを有する。これら第１駆動部６１、第２駆動部６２、第３駆動部６３の駆動により、磁石５０を２次元的、３次元的に移動させて、誘導路３０及び皿体２０で遊技球を２次元的、３次元的に誘導する。
【００３７】
ここで、第１駆動部６１、第２駆動部６２、第３駆動部６３の構成を説明する。
磁石移動機構６０は、図１１のように構成され、固定フレーム１１２、上下移動フレーム１３１、左右移動フレーム１３６、前後移動フレーム１６２などを備えている。そして、固定フレーム１１２が演出装置１１の外郭をなすケース１５に固定されている。また、上下移動フレーム１３１は、固定フレーム１１２に保持されつつ固定フレーム１１２に対して相対的に上下方向に変位するようになっている。更に、左右移動フレーム１３６は、上下移動フレーム１３１に保持されつつ、この上下移動フレーム１３１に対して相対的に左右方向に変位するようになっている。また、前後移動フレーム１６２は左右移動フレーム１３６に保持されつつ、この左右移動フレーム１３６に対して相対的に前後方向に変位するようになっている。そして、この前後移動フレーム１６２に磁石５０が保持されている。このような構成であるため、固定フレーム１１２、皿体２０、誘導路３０などが一体的に固定された固定ユニット（演出装置１１において移動しない固定部分）に対し、磁石５０が相対的に、上下方向、左右方向、前後方向に変位することになり、誘導路３０及び皿体２０に対する磁石５０の位置を二次元的、三次元的に変化させ得るようになっている。
【００３８】
図１１、図１２、図１３で示すように、本構成では、皿体２０や誘導路３０を保持するケース１５（図１１）に対して、固定フレーム１１２が固定されるようになっている。固定フレーム１１２の背面部には第３駆動部６３の歯車群１１４を覆うカバー１１５が固定されるようになっている。歯車群１１４は、歯車１１４ａ，１１４ｂ，１１４ｃ，１１４ｄ，１１４ｅ，１１４ｆで構成されており、固定フレーム１１２とカバー１１５とに挟まれた状態で、各歯車１１４ａ，１１４ｂ，１１４ｃ，１１４ｄ，１１４ｅ，１１４ｆがそれぞれ回転可能に保持されている。なお、歯車１１４ａ，１１４ｂ，１１４ｃ，１１４ｄ，１１４ｅ，１１４ｆは、く字状に噛合している。また、図１２、図１３で示すように、固定フレーム１１２には、例えばステッピングモータとして構成される第３駆動部６３のモータ１１７が固定され、このモータ１１７の駆動軸に歯車１１４ａが固定されるようになっている。そして、モータ１１７の駆動軸が回転することに応じて、各歯車１１４ａ，１１４ｂ，１１４ｃ，１１４ｄ，１１４ｅ，１１４ｆが連動して回転するようになっている。
【００３９】
固定部材１１１ａ，１１１ｂは、箱状に構成された固定フレーム１１２の左右の内壁部にそれぞれ固定される部材であり、具体的には、後述する上下移動フレーム１３１をスライド可能に保持するスライドレールのインナーレールまたはアウターレールのいずれか一方が内装されている。つまり、固定フレーム１１２の左右の内壁部に固定部材１１１ａ，１１１ｂがそれぞれ一体的に固定された固定構造に対して上下移動フレーム１３１が上下に相対移動し得る構成で、上下移動フレーム１３１が固定部材１１１ａ，１１１ｂにスライド可能に保持されている。
【００４０】
上下移動フレーム１３１は、全体として箱状に構成されており、図１１〜図１３で示すように、上下移動フレーム１３１の両側部には、スライド部材１３２ａ，１３２ｂがそれぞれ固定され、固定部材１１１ａ，１１１ｂに内装されたスライドレールの他方のレールが内装されている。スライド部材１３２ａ，１３２ｂは、固定部材１１１ａ，１１１ｂのそれぞれにスライド可能に保持されている。このように、スライド部材１３２ａ，１３２ｂがスライドレールを介して固定部材１１１ａ，１１１ｂのそれぞれに対してスライド可能な構成であるため、スライド部材１３２ａ，１３２ｂと一体的に構成された上下移動フレーム１３１が固定フレーム１１２に対して上下方向に相対移動（スライド動作）し得るようになっている。また、図１３で示すように、上下移動フレーム１３１には検出片１３１ｃが突出形態で形成されており、固定フレーム１１２に設けられたセンサ１１６（図１２、図１３）が検出片１３１ｃを検出することで、固定フレーム１１２に対する上下移動フレーム１３１の初期位置を検出できるようになっている。更に、図１３で示すように、固定フレーム１１２には、下端部寄りの位置において両側に一対のガイド長孔１１２ｆ，１１２ｇが形成されている。一方、上下移動フレーム１３１には、下端部寄りの位置において両側に一対の滑動部１３１ｆ，１３１ｇが突起状に形成されている。そして、それらの一対のガイド長孔１１２ｆ，１１２ｇに対して一対の滑動部１３１ｆ，１３１ｇが遊挿され、滑動部１３１ｆ，１３１ｇがガイド長孔１１２ｆ，１１２ｇによって滑動容易な状態で上下に案内されるようになっており、このような構成により、上下移動フレーム１３１が固定フレーム１１２に対してスムーズに上下動するようになっている。
【００４１】
このように、上下移動フレーム１３１は固定フレーム１１２に上下スライド可能に保持された構造となっており、この構造において、上下移動させるための駆動力がモータ１１７によって与えられるようになっている。具体的には、図１３、図２０のように、上下移動フレーム１３１の背面部において、上下方向に延びるラック１３１ｂが形成されている。図２０等で示すように、このラック１３１ｂには、上述した歯車１１４ｆ（固定フレーム１１２側で保持される歯車）が噛み合っており、これらラック１３１ｂ及び歯車１１４ｆによりラックアンドピニオン機構が構成されている。この構成では、モータ１１７の回転に応じて歯車１１４ａが回転することで、歯車群１１４の連動動作により歯車１１４ｆが回転する。そして、この歯車１１４ｆの回転に応じて、歯車１１４ｆと噛み合うラック１３１ｂが上下に移動するため、上下移動フレーム１３１全体が固定フレーム１１２に対して上下に相対移動することになる。なお、図２０では、歯車群１１４の回転に応じて変化したラック１３１ｂの位置を符号１３１ｂ’で示しており、このときの上下移動フレーム１３１の位置を符号１３１’で示している。本構成では、モータ１１７、歯車群１１４、ラック１３１ｂが第３駆動部６３を構成しており、磁石５０の上下方向の位置を変化させるように機能する。
【００４２】
図１１〜図１４で示すように、上下移動フレーム１３１には、左右移動フレーム１３６が左右方向に相対移動し得るように保持されている。図１４で示す構造では、箱状に構成された上下移動フレーム１３１の上端及び下端の壁部にそれぞれ固定される固定部材１３３ａ，１３３ｂが設けられており、上下移動フレーム１３１の上端及び下端の壁部の内側（上下の各内壁部）にそれぞれ固定される構成で、スライドレールのレール部１３４ａがそれぞれ設けられている。レール部１３４ａは、上下移動フレーム１３１の上壁部の下面部及び下壁部の上面部に固定される固定部材１３３ａ，１３３ｂに取り付けられるものである。また、レール部１３４ｂは、箱状に構成された左右移動フレーム１３６の上壁部の下面部及び下壁部の上面部に固定されるスライド部材１３５ａ，１３５ｂに取り付けられるものである。そして、固定部材１３３ａにレール部１３４ａ，１３４ｂを介してスライド可能に保持される構成でスライド部材１３５ａが設けられ、固定部材１３３ｂにレール部１３４ａ，１３４ｂを介してスライド可能に保持される構成でスライド部材１３５ｂが設けられている。そして、左右移動フレーム１３６、スライド部材１３５ａ，１３５ｂが一体化してなるユニットが、上述のレール部１３４ａ，１３４ｂによって左右に案内される構成で、上下移動フレーム１３１にスライド可能に保持されている。また、図１４で示すように、上下移動フレーム１３１に形成された開口領域の開口縁には、検出片１３１ｄがその開口領域内に向かって突出する形態で形成されている。一方、左右移動フレーム１３６には、センサ１１８が固定されるようになっており、このように左右移動フレーム１３６に設けられたセンサ１１８が上下移動フレーム１３１の検出片１３１ｄを検出することで、上下移動フレーム１３１に対する左右移動フレーム１３６の初期位置が検出されるようになっている。
【００４３】
このように、左右移動フレーム１３６は上下移動フレーム１３１に左右スライド可能に保持された構造となっており、この構造において、左右移動させるための駆動力がモータ１３７によって与えられるようになっている。このモータ１３７は、前後方向に延びる駆動軸を備えた構造で左右移動フレーム１３６に固定されており、このモータ１３７の駆動軸には、歯車１３８が固定されている。一方、上下移動フレーム１３１の前面部には、左右方向に延びるラック１３１ａが形成されている。そして、図１９のように、このラック１３１ａと歯車１３８とが噛み合っており、これらラック１３１ａ及び歯車１３８によりラックアンドピニオン機構が構成されている。この構成では、モータ１３７の回転に応じて歯車１３８が回転し、この歯車１３８の回転に応じて、ラック１３１ａに対する歯車１３８の左右方向の相対位置が変化するように相対移動する。なお、図１９では、回転に応じて変化した歯車の位置を符号１３８’で示しており、このときの左右移動フレーム１３６の位置を符号１３６’で示している。このような構成により、左右移動フレーム１３６全体が上下移動フレーム１３１に対して左右に相対移動することになる。なお、本構成では、モータ１３７、歯車１３８、ラック１３１ａが第２駆動部６２を構成しており、磁石５０の左右方向（所定の第２方向）の位置を変化させるように機能する。
【００４４】
図１５、図１６等で示すように、左右移動フレーム１３６には、前後移動フレーム１６２が前後方向に相対移動し得るように保持されている。具体的には、箱状に構成された左右移動フレーム１３６の側壁部にベース部１４１が固定されており、このベース部１４１には、前後方向に延びるスライドレールを構成するレール部１４２が固定されている。そして、レール部１４２にスライド可能に保持される構成でスライドレールを構成するスライド部材１６１が設けられ、このスライド部材１６１が前後移動フレーム１６２に一体的に固定されている。そして、前後移動フレーム１６２、スライド部材１６１が一体化してなるユニットが、上述のスライドレールを構成するレール部１４２とスライド部材１６１によって前後に案内される構成で、左右移動フレーム１３６に対して（より詳しくは、左右移動フレーム１３６、ベース部１４１、レール部１４２等が一体化してなるユニットに対して）前後にスライド可能となるように保持されている。また、図１５、図１６で示すように、前後移動フレーム１６２には、突出形態の検出片１６４が固定されている。一方、左右移動フレーム１３６に固着されるベース部１４１には、センサ１１９が固定されており、このようにベース部１４１に設けられるセンサ１１９が前後移動フレーム１６２に設けられる検出片１６４を検出することで、ベース部１４１に対する前後移動フレーム１６２の初期位置（即ち、左右移動フレーム１３６に対する前後移動フレーム１６２の初期位置）を検出するようになっている。
【００４５】
このように、前後移動フレーム１６２は左右移動フレーム１３６に前後スライド可能に保持された構造となっており、この構造において、前後移動させるための駆動力がモータ１４７によって与えられるようになっている。このモータ１４７は、左右方向に延びる駆動軸を備えた構造でベース部１４１に固定されており、このモータ１４７の駆動軸には、歯車１４８が固定されている。一方、前後移動フレーム１６２の下面部には、前後方向に延びるラック１６２ａが形成されている。そして、図１８のように、このラック１６２ａと歯車１４８とが噛み合っており、これらラック１６２ａ及び歯車１４８によりラックアンドピニオン機構が構成されている。この構成では、モータ１４７の回転に応じて歯車１４８が回転し、この歯車１４８の回転に応じて、歯車１４８に対するラック１６２ａの前後方向の相対位置が変化するように相対移動する。なお、図１８では、回転に応じて変化したラック１６２ａの位置を符号１６２ａ’で示しており、このときの前後移動フレーム１６２の位置を符号１６２’で示し、このときの磁石５０の位置を符号５０’で示している。このような構造により、前後移動フレーム１６２全体が左右移動フレーム１３６に対して前後に相対移動することになる。なお、本構成では、モータ１４７、歯車１４８、ラック１６２ａが第１駆動部６１を構成しており、磁石５０の前後方向（所定の第１方向）の位置を変化させるように機能する。
【００４６】
また、本構成では、図１５、図１６、図１８等で示すように、前後移動フレーム１６２が前後方向の長手状に延びており、この前後移動フレーム１６２の前端部において、上方に突出する構成で、磁石５０が保持される突出保持部１６３が形成されている。そして、この突出保持部１６３の先端部において上方側に露出した構造で磁石５０が埋設されている。
【００４７】
磁石移動機構６０は、以上のような構成であり、このように構成されているため、固定フレーム１１２、ケース１５、皿体２０、誘導路３０などが一体化したユニットに対する磁石５０の上下方向の相対変位、左右方向の相対変位、前後方向の相対変位を変化させることができるようになっている。なお、モータ１１７、１３７、１４７の各駆動軸の回転位置（即ち、磁石５０の上下方向、左右方向、前後方向の各位置）は、制御部１００（図３）からの制御信号によって制御することができる。
【００４８】
次に、排出路４０について説明する。図６、図１７で示すように、排出路４０は、落下孔２２ａ，２２ｂ，２２ｃから落下した遊技球の排出経路となる部分である。この排出路４０は、皿体２０の下方側（具体的には、上面部２０ａを構成する板状部分の下方側）において、複数の落下孔２２ａ，２２ｂ，２２ｃから離れた位置に、落下孔２２ａ，２２ｂ，２２ｃから下方に落ちた遊技球が導入される入口部４２が配置され、この入口部４２から下流側に続く構成で底部４４が設けられている。図１７の例では、前側に開放する形態で入口部４２が設けられ、この入口部４２の位置から左右方向に延びるように下流側の流路が構成されている。
【００４９】
この排出路４０では、流路の底部４４における入口部４２を構成する部分（入口側部分４４ａ）が、板厚方向を上下方向とするような板状に構成されており、底部４４の入口側の端部から離れる側に延びる形態で切欠き部４６が形成されている。具体的には、入口側部分４４ａの前端部から後方に延びる構成で切欠き部４６が形成されており、この切欠き部４６は、前端部の幅が最も広く、後方側となるにつれて（即ち、入口側端部から離れるにつれて）次第に幅が狭くなる形状となっている。なお、本構成では、入口部４２の向きが前後方向の向きとなっており、切欠き部４６の向きも前後方向になっている。また、本明細書では、底部４４の底面と平行な方向であって且つ切欠き部４６の向きと直交する方向を切欠き部４６の幅方向としており、図１７の例では、左右方向が切欠き部４６の幅方向となる。
【００５０】
（遊技機用演出装置の動作例）
遊技機１では、所定状態の成立時に上述した電動チューリップ９１の羽根９１ａ，９１ｂが開放状態となり、入賞口９１ｃへの遊技球の進入が許容される。具体的には、例えば、遊技領域を流下する遊技球が入賞ゲート８ａ，８ｂのいずれかを通過した場合に抽選がなされ、この抽選で当たり状態となると、ソレノイド９１ｄが通電制御され、羽根９１ａ，９１ｂが開放状態となる。この開放状態のときに入賞口９１ｃへ遊技球が進入すると、この遊技球が検知孔９５ａを通ったときに検知センサ９５によって検知され、検知センサ９５から制御部１００に対して所定の電気信号（検知信号）が出力され、入賞球として所定個数の賞球が球払出装置（図示せず）から球皿７に払い出される。そして、遊技機１では、遊技球が検知孔９５ａを通る毎に（即ち、検知センサ９５から検知信号が出力される毎に）所定確率での抽選を行い、抽選結果を図示しないメモリに保持する。検知孔９５ａを通った遊技球は、第１分岐路９６ｂが満杯でない限り第１分岐路９６ｂに導かれ、１球ずつ回転体９３ａの保持溝９３ｃに送り込まれる。
【００５１】
保持溝９３ｃに送り込まれた遊技球の流れは、当該遊技球が検知孔９５ａを通ったときの抽選結果に応じた流れとなる。例えば、遊技球が検知孔９５ａを通ったときの抽選結果が第１のハズレ状態のときには、この遊技球が回転体９３ａの保持溝９３ｃで保持されたときに回転体９３ａによって左側（正面視左側）に誘導され、上述した排出側流路９８に送り込まれる。排出側流路９８に送り込まれた遊技球は、排出側流路９８を通って所定の排出口９８ａから排出される。一方、遊技球が検知孔９５ａを通ったときの抽選結果が第２のハズレ状態のときには、この遊技球が回転体９３ａの保持溝９３ｃで保持されたときに回転体９３ａによって右側（正面視右側）に誘導され、上述した演出側流路９７に送り込まれる。この遊技球は、演出側流路９７によって誘導路３０に送られる。また、遊技球が検知孔９５ａを通ったときの抽選結果が大当たり状態のときには、この遊技球が回転体９３ａの保持溝９３ｃで保持されたときに回転体９３ａによって右側（正面視右側）に誘導され、上述した演出側流路９７に送り込まれる。この遊技球は、演出側流路９７によって誘導路３０に送られる。なお、遊技球が検知孔９５ａを通ったときの抽選では、第１のハズレ状態が、所定の第１確率で発生し、第２のハズレ状態が所定の第２確率で発生し、大当たり状態が、所定の第３確立で発生するようになっている。
【００５２】
第２のハズレ状態又は大当たり状態のときに演出側流路９７に導かれた遊技球は、上述した流路９７ａ，９７ｂ，９７ｃを通って誘導路３０に流れ込むことになる。そして、磁石移動機構６０及び磁石５０は、誘導路３０の下方に磁石５０を配置することで、このように誘導路３０に流れ込んだ遊技球に対する磁石５０による吸引保持を開始し、その吸引保持状態を維持しつつ磁石５０を誘導路３０側からいずれかの落下孔２２ａ，２２ｂ，２２ｃ側に移動させることにより磁石５０に吸引保持された遊技球をいずれかの落下孔２２ａ，２２ｂ，２２ｃに導くようになっている。
【００５３】
具体的には、第２のハズレ状態又は大当たり状態のときに演出側流路９７から誘導路３０に導かれた遊技球は、第１流路部３１を通り、ゲート部３６に形成された通過孔３６ａ内に入り込む。本構成では、この通過孔３６ａ内の領域（通過領域）が磁石５０による保持開始位置となっており、磁石移動機構６０は、遊技球がゲート部３６に入り込む前まで（例えば、回転体が演出側流路９７に遊技球を送り込む前まで）に、予め磁石５０を上記通過領域の下方位置に配置しておく。このように磁石５０がゲート部３６の下方に事前配置されるため、ゲート部３６を通過しようとする遊技球は通過孔３６ａ内の通過領域にて磁石５０に吸引された状態となる。このように、本構成では、第１流路部３１における前壁部３６ｂ（遮蔽部）によって前側が遮蔽される通過領域（通過孔３６ａ内の領域）が、磁石５０による遊技球の吸引保持の開始位置とされている。
【００５４】
また、本構成では、通過孔３６ａ内に遊技球が入り込んだときにセンサ３８によって検知信号が出力されるようになっている。そして、磁石移動機構６０は、このようにセンサ３８から検知信号が出力されたことを条件として（即ち、通過孔３６ａを通る遊技球が検出されたことを条件）として磁石５０の移動を開始する。上述したように、通過孔３６ａの下方が磁石５０の初期位置であり、遊技球が通過孔３６ａに入り込んだ時点でこの遊技球は磁石５０によって吸引保持されるため、磁石移動機構６０が磁石５０の移動を開始する際には、遊技球が磁石５０によって確実に吸引保持された状態で磁石５０の移動を開始することができる。
【００５５】
磁石移動機構６０は、ゲート部３６の下方位置にある磁石５０の移動を開始すると、この磁石５０を誘導路３０の下方に近接させた状態を維持しつつ磁石５０を誘導路３０に沿って皿体２０側に移動させる。これにより、磁石５０に吸引保持される遊技球は、磁石５０に引き寄せられる形で誘導路３０内を皿体２０側に向けて移動することになる。更に、誘導路３０又は皿体２０の下方に磁石５０を近接させた状態でこの磁石５０の位置を、前後方向流路部３２ａの下方位置から皿体導入部３２ｂの下方位置へと連続的に移動させ、皿体導入部３２ｂの下方位置から皿体２０の下方位置に連続的に移動させる。このような磁石５０の動作により、磁石５０に吸引保持される遊技球は誘導路３０を通りながら皿体２０に入り込むことになる。
【００５６】
そして、磁石５０が皿体２０の下方位置に至った後には、皿体２０の下方に磁石５０を近接させた状態を維持しつつ、この磁石５０を皿体２０に沿って移動させる。これにより、磁石５０に吸引保持される遊技球は皿体２０内において上面部２０ａ上を動くことになり、皿体２０内において、ある程度の遊技球の挙動が確保される。その後、皿体２０の下方に磁石５０を近接させた状態を維持しつつ、この磁石５０をいずれかの落下孔の下方位置に移動させる。これにより、磁石５０に吸引保持される遊技球はいずれかの落下孔内に入り込むことになる。例えば、上述の抽選結果が大当たり状態の場合には、磁石５０を大当たり状態での落下が予定された上述の大当たり孔（例えば、落下孔２２ｂ）の下方位置に移動させ、磁石５０に吸引保持される遊技球をその大当たり孔に落下させる。また、上述の抽選結果が上述の第２のハズレ状態の場合には、磁石５０を、第２のハズレ状態での落下が予定された上述のハズレ孔（例えば、落下孔２２ａ，２２ｃ）のいずれかの下方位置に移動させ、磁石５０に吸引保持される遊技球をそのハズレ孔に落下させる。
【００５７】
そして、磁石移動機構６０は、磁石５０をいずれかの落下孔の位置に移動させた後には、その磁石５０に保持される遊技球がその落下孔を通過する前から通過する後まで、遊技球を吸引保持した状態を維持しつつ磁石５０の上下方向の位置を変化させる。具体的には、モータ１１７の動作により上下移動フレーム１３１を下方に移動させ、これにより磁石５０の位置を下方に下げる。このように本構成で用いられる磁石移動機構６０は、遊技球が落下孔２２ａ，２２ｂ，２２ｃのいずれかを通過する前から通過する後まで、磁石５０が遊技球を連続的に吸引保持した状態で磁石５０の上下方向の位置を変化させている。
【００５８】
そして、磁石移動機構６０は、いずれかの落下孔から遊技球を落下させた後、磁石５０を排出路４０側へと移動させ、磁石５０の上面に保持される遊技球を排出路４０の入口部４２に送り込む。具体的には、磁石移動機構６０は、落下孔２２ａ，２２ｂ，２２ｃのいずれかを通過して上面部２０ａの下方側に移動した遊技球を磁石５０によって吸引保持した状態で排出路４０の入口側部分４４ａまで導き、更に、その遊技球を切欠き部４６の上側で移動させつつ、磁石５０を入口側部分４４ａの下側において入口側の端部から離れるように移動させることで、磁石５０による遊技球の吸引保持を解除する。これにより、切欠き部４６の上側で遊技球が磁石５０から削ぎ落とされるように吸引保持が解除され、遊技球が排出路４０内を流下することになる。
【００５９】
（本構成の効果の例）
本構成の遊技機用演出装置１０及び遊技機は、上面部２０ａに複数の落下孔２２ａ，２２ｂ，２２ｃが形成された皿体２０と、この皿体２０の上面部２０ａに遊技球を導く誘導路３０と、誘導路３０上から皿体２０上へと移動する遊技球を吸引しつつ保持可能な磁石５０とが設けられている。更に、上下方向と直交する所定の第１方向における磁石５０の位置を変化させる第１駆動部６１と、第１方向と交差する所定の第２方向における磁石５０の位置を変化させる第２駆動部６２とを備えた磁石移動機構６０が設けられている。そして、この磁石移動機構６０は、少なくとも誘導路３０の下方に磁石５０を移動させて当該磁石５０による遊技球の吸引保持を開始し、その吸引保持状態を維持しつつ磁石５０を誘導路３０側から落下孔２２ａ，２２ｂ，２２ｃのいずれかに移動させることにより磁石５０に吸引保持された遊技球を落下孔２２ａ，２２ｂ，２２ｃのいずれかに導く構成となっている。
この構成では、少なくとも、皿体２０に入る前段階の誘導路３０から皿体２０に形成された落下孔２２ａ，２２ｂ，２２ｃに至るまで磁石５０によって遊技球を細かく誘導することができるため、特定箇所だけで吸引及び解除する構成と比べて遊技球の流れを演出する上での自由度が高まり、遊技球をより自然な流れに見せる演出を行い易くなる。
【００６０】
本構成は、磁石移動機構６０において、上下方向における磁石５０の位置を変化させる第３駆動部６３が設けられ、少なくとも遊技球が落下孔２２ａ，２２ｂ，２２ｃのいずれかを通過する前から通過する後まで、磁石５０が遊技球を吸引保持した状態で磁石５０の上下方向の位置を変化させる構成となっている。
この構成によれば、磁石５０によって吸引保持しつつ予定された落下孔まで誘導した上で、その落下孔において確実に落下させることができる。特に、落下孔２２ａ，２２ｂ，２２ｃのいずれかまでの誘導とその落下孔での落下とで、磁石５０による吸引保持が連続的に維持され、第１駆動部６１、第２駆動部６２、第３駆動部６３によって遊技球を三次元的に制御することができるため、落下孔までの誘導及び落下孔での落下等の動きをより細かく制御しやすくなる。
【００６１】
本構成は、誘導路３０を流れる遊技球が通過する通過孔３６ａを備えたゲート部３６が設けられている。そして、このゲート部３６には、通過孔３６ａにおける遊技球の通過領域の前側を遮蔽する前壁部３６ｂ（遮蔽部）が設けられている。そして、磁石移動機構６０は、前壁部３６ｂ（遮蔽部）によって前側が遮蔽される通過領域が磁石５０による遊技球の吸引保持の開始位置としている。
この構成によれば、磁石５０によって遊技球の吸引保持を開始する位置が隠されるため、吸引保持されていない自然な流れの状態から吸引保持後の磁石５０による規制状態へと状態が変化する際に、ある程度遊技球に挙動変化が生じたとしても、その挙動変化が遊技者には見えにくくなる。従って、挙動変化が特に懸念される吸引保持の開始の際に、遊技球の流れが不自然に変化した印象を与えにくくなる。
【００６２】
本構成は、ゲート部３６において、通過孔３６ａを通過する遊技球を検出するセンサ３８が設けられている。そして、磁石移動機構６０は、センサ３８によって遊技球が検出されたことを条件として磁石５０の移動を開始する構成となっている。
この構成では、ゲート部３６の設置構造を利用してセンサ３８を設けることができるため、より効率的にセンサ３８を配置することが可能となる。しかも、遊技球が通過領域（磁石５０による吸引保持開始位置）に至ったことをセンサ３８によって検知することができるため、遊技球が吸引保持されたタイミングをより早期に検知し、そのタイミングからそれほど遅延せずに磁石移動機構６０によって遊技球を移動する制御を行うことが可能となる。
【００６３】
また、本構成は、誘導路３０において、皿体２０の後方側に配置される第１流路部３１と、第１流路部３１から皿体２０へと続く第２流路部３２と、が設けられている。そして、磁石移動機構６０は、第１流路部３１を磁石５０による遊技球の吸引保持の開始位置としている。
この構成では、磁石５０によって遊技球の吸引保持を開始する位置が、皿体２０の後方側の奥まった位置となるため、吸引保持されていない自然な流れの状態から吸引保持後の磁石５０による規制状態へと状態が変化する際に、ある程度遊技球に挙動変化が生じたとしても、その挙動変化の程度を遊技者が把握しにくくなる。従って、挙動変化が特に懸念される吸引保持の開始の際に、遊技球の流れが不自然に変化した印象を与えにくくなる。
【００６４】
また、本構成において、排出路４０は、上面部２０ａの下方側において複数の落下孔２２ａ，２２ｂ，２２ｃから離れた位置に入口部４２が配置され、入口部４２から下流側に続く構成で底部４４が設けられている。そして、この底部４４における入口部４２を構成する入口側部分４４ａは、板状に構成され、且つ底部４４の入口側の端部から離れる側に延びる切欠き部４６が形成されている。そして、磁石移動機構６０は、落下孔２２ａ，２２ｂ，２２ｃを通過して上面部２０ａの下方側に移動した遊技球を磁石５０によって吸着保持した状態で入口側部分４４ａまで導き、更に、その遊技球を切欠き部４６の上側で移動させつつ、磁石５０を入口側部分４４ａの下側において入口側の端部から離れるように移動させることで、磁石５０による遊技球の吸着保持を解除する構成となっている。
この構成では、遊技球がいずれの落下孔２２ａ，２２ｂ，２２ｃから落下する場合でも、共通の入口側部分４４ａまで導いて共通の排出路４０から排出することが可能となる。しかも入口側部分４４ａへと導いた際には、磁石５０上に吸着保持される遊技球が切欠き部４６の上方で移動し、磁石５０が切欠き部４６の下方で移動するように分断動作がなされるため、入口側の端部では、磁石５０によって遊技球を保持した保持構造から遊技球だけが底部４４上に安定的に削ぎ落とされやすくなり、これにより遊技球が安定的に排出されやすくなる。
【００６５】
［他の実施形態]
本発明は上記記述及び図面によって説明した実施形態に限定されるものではなく、例えば次のような実施形態も本発明の技術的範囲に含まれる。
【００６６】
上記実施形態では、第３駆動部を設けた構成を例示したが、このような第３駆動部を省略してもよい。
【００６７】
上記実施形態では、皿体の一例として皿体２０を示したが、皿体の構成は上述の例に限定されず、例えば、落下孔の数は、２つであってもよく、４以上であってもよい。
【００６８】
上記実施形態では、誘導路の一例として誘導路３０を例示したが、皿体に誘導可能となるように流路が構成されていれば、上述の例に限られるものではない。
【符号の説明】
【００６９】
１…遊技機
２…遊技盤
２ａ…盤面
１０…遊技機用演出装置
２０…皿体
２０ａ…上面部
２２ａ，２２ｂ，２２ｃ…落下孔
３０…誘導路
３１…第１流路部
３２…第２流路部
３６…ゲート部
３６ａ…通過孔
３６ｂ…遮蔽部
３８…センサ
４０…排出路
４２…入口部
４４…底部
４４ａ…入口側部分
４６…切欠き部
５０…磁石
６０…磁石移動機構
６１…第１駆動部
６２…第２駆動部
６３…第３駆動部
【図１】
0006406914.tif 000002
【図２】
0006406914.tif 000003
【図３】
0006406914.tif 000004
【図４】
0006406914.tif 000005
【図５】
0006406914.tif 000006
【図６】
0006406914.tif 000007
【図７】
0006406914.tif 000008
【図８】
0006406914.tif 000009
【図９】
0006406914.tif 000010
【図１０】
0006406914.tif 000011
【図１１】
0006406914.tif 000012
【図１２】
0006406914.tif 000013
【図１３】
0006406914.tif 000014
【図１４】
0006406914.tif 000015
【図１５】
0006406914.tif 000016
【図１６】
0006406914.tif 000017
【図１７】
0006406914.tif 000018
【図１８】
0006406914.tif 000019
【図１９】
0006406914.tif 000020
【図２０】
0006406914.tif 000021